【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】  印刷画像を記憶する記憶手段と、
前記記憶手段上で前記印刷画像の描画領域の余白部分に画像データが存在するか否かを判断する判断手段と、
前記判断手段によって、画像データが存在すると判断された場合は、全面印刷指示コマンドを生成し、画像データが存在しないと判断された場合は、余白有り印刷指示コマンドを生成するコマンド生成手段と、
前記記憶手段内の印刷画像から前記コマンド生成手段によって生成されたコマンドに応じた印刷データを生成する印刷データ生成手段と、
前記コマンド生成手段によって生成されたコマンドおよび前記印刷データ生成手段によって生成された印刷データを印刷装置に出力する出力手段とを具えたことを特徴とする印刷情報処理装置。
【請求項２】  請求項１において、
記録媒体のサイズおよび前記印刷装置の解像度から必要な描画領域サイズを算出する描画領域サイズ算出手段と、
前記算出手段によって算出された描画領域サイズが所定値を超えていた場合は、前記印刷画像を前記所定値以内になるように分割して前記記憶手段に記憶させる制御手段とをさらに有することを特徴とする印刷情報処理装置。
【請求項３】  請求項２に記載の印刷情報処理装置からの印刷指示コマンドおよび印刷データを受け取る印刷装置であって、
１ページの印刷処理の途中で、前記印刷情報処理装置からの印刷指示コマンドが切り替わった場合は、当該切り替わった後の印刷指示コマンドに応じた印刷処理を実行する手段を有することを特徴とする印刷装置。
【請求項４】  請求項１または２に記載の印刷情報処理装置からの印刷指示コマンドおよび印刷データを受け取る印刷装置であって、
前記印刷情報処理装置からの全面印刷指示コマンドを受け取ると、通常の印刷開始位置よりも当該印刷装置の機械的な誤差を吸収できる分だけ、実記録媒体サイズよりも大きなサイズとして前記印刷データの印刷を実行する手段を有することを特徴とする印刷装置。
【請求項５】  印刷画像を記憶手段に記憶する記憶ステップと、
前記記憶手段上で前記印刷画像の描画領域の余白部分に画像データが存在するか否かを判断する判断ステップと、
前記判断によって、画像データが存在すると判断された場合は、全面印刷指示コマンドを生成し、画像データが存在しないと判断された場合は、余白有り印刷指示コマンドを生成するコマンド生成ステップと、
前記記憶手段内の印刷画像から前記生成されたコマンドに応じた印刷データを生成する印刷データ生成ステップと、
前記生成されたコマンドおよび前記生成された印刷データを印刷装置に出力する出力ステップとを具えたことを特徴とする印刷情報処理方法。
【請求項６】  請求項５において、
記録媒体のサイズおよび前記印刷装置の解像度から必要な描画領域サイズを算出する描画領域サイズ算出ステップをさらに有し、
前記記憶ステップは、前記算出された描画領域サイズが所定値を超えていた場合は、前記印刷画像を前記所定値以内になるように分割して前記記憶手段に記憶させることを特徴とする印刷情報処理方法。
【請求項７】  請求項５または６において、
前記記憶手段に記憶する印刷画像は、印刷する記録媒体サイズが決定された後に当該印刷する記録媒体サイズよりも大きいサイズおよび余白無しの余白情報を参照して生成し、
前記印刷データは、実記録媒体サイズよりも大きく生成することを特徴とする印刷情報処理方法。
【請求項８】  印刷画像を記憶手段に記憶する記憶手順と、
前記記憶手段上で前記印刷画像の描画領域の余白部分に画像データが存在するか否かを判断する判断手順と、
前記判断によって、画像データが存在しないと判断された場合は、全面印刷指示コマンドを生成し、画像データが存在すると判断された場合は、余白有り印刷指示コマンドを生成するコマンド生成手順と、
前記記憶手段内の印刷画像から前記生成されたコマンドに応じた印刷データを生成する印刷データ生成手順と、
前記生成されたコマンドおよび前記生成された印刷データを印刷装置に出力する出力手順とを実行させるための印刷情報処理プログラム。
【請求項９】  請求項８において、
記録媒体のサイズおよび前記印刷装置の解像度から必要な描画領域サイズを算出する描画領域サイズ算出手順をさらに実行させ、
前記記憶手順は、前記算出された描画領域サイズが所定値を超えていた場合は、前記印刷画像を前記所定値以内になるように分割して前記記憶手段に記憶させることを特徴とする印刷情報処理プログラム。
【請求項１０】  請求項８または９において、
前記記憶手段に記憶する印刷画像は、印刷する記録媒体サイズが決定された後に当該印刷する記録媒体サイズよりも大きいサイズおよび余白無しの余白情報を参照して生成し、
前記印刷データは、実記録媒体サイズよりも大きく生成することを特徴とする印刷情報処理プログラム。
【請求項１１】  印刷画像を記憶する記憶手段と、
前記記憶手段上で前記印刷画像の描画領域の余白部分に画像データが存在するか否かを判断する判断手段と、
前記判断手段によって、画像データが存在すると判断された場合は、全面印刷指示し、画像データが存在しないと判断された場合は、余白有り印刷指示する生成手段と、
前記記憶手段内の印刷画像から前記生成手段によって生成された指示に応じた印刷データを生成する印刷データ生成手段と、
前記指示生成手段によって生成された指示および前記印刷データ生成手段によって生成された印刷データを出力する出力手段とを具えたことを特徴とする印刷処理装置。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
請求項８の発明は、印刷画像を記憶手段に記憶する記憶手順と、前記記憶手段上で前記印刷画像の描画領域の余白部分に画像データが存在するか否かを判断する判断手順と、前記判断によって、画像データが存在すると判断された場合は、全面印刷指示コマンドを生成し、画像データが存在しないと判断された場合は、余白有り印刷指示コマンドを生成するコマンド生成手順と、前記記憶手段内の印刷画像から前記生成されたコマンドに応じた印刷データを生成する印刷データ生成手順と、前記生成されたコマンドおよび前記生成された印刷データを印刷装置に出力する出力手順とを実行させるための印刷情報処理プログラムを特徴とする。
【手続補正６】
【補正対象書類名】明細書
【補正対象項目名】００２２
【補正方法】変更
【補正の内容】
【００２２】
請求項９の発明は、請求項８において、記録媒体のサイズおよび前記印刷装置の解像度から必要な描画領域サイズを算出する描画領域サイズ算出手順をさらに実行させ、前記記憶手順は、前記算出された描画領域サイズが所定値を超えていた場合は、前記印刷画像を前記所定値以内になるように分割して前記記憶手段に記憶させることを特徴とする。
【手続補正７】
【補正対象書類名】明細書
【補正対象項目名】００２３
【補正方法】変更
【補正の内容】
【００２３】
請求項１０の発明は、請求項８または９において、前記記憶手段に記憶する印刷画像は、印刷する記録媒体サイズが決定された後に当該印刷する記録媒体サイズよりも大きいサイズおよび余白無しの余白情報を参照して生成し、前記印刷データは、実記録媒体サイズよりも大きく生成することを特徴とする。
【手続補正８】
【補正対象書類名】明細書
【補正対象項目名】００２４
【補正方法】変更
【補正の内容】
【００２４】
請求項１１の発明は、印刷画像を記憶する記憶手段と、前記記憶手段上で前記印刷画像の描画領域の余白部分に画像データが存在するか否かを判断する判断手段と、前記判断手段によって、画像データが存在すると判断された場合は、全面印刷指示し、画像データが存在しないと判断された場合は、余白有り印刷指示する生成手段と、前記記憶手段内の印刷画像から前記生成手段によって生成された指示に応じた印刷データを生成する印刷データ生成手段と、前記指示生成手段によって生成された指示および前記印刷データ生成手段によって生成された印刷データを出力する出力手段とを具えたことを特徴とする。
【手続補正９】
【補正対象書類名】明細書
【補正対象項目名】００２５
【補正方法】削除
【補正の内容】